(57)【特許請求の範囲】
【請求項１】
映像データを記録する半導体メモリと、
前記映像データの記録、再生、停止を含む処理命令、再生素材番号、再生先頭フィールド番号、再生終了フィールド番号を含む映像指定情報を入力するための操作入力装置と、
前記半導体メモリの書き込み、読み出し設定の制御及び書込み／読出しアドレスを発生するアドレス発生部と、
前記操作入力装置からの処理指令及び映像指定情報に基づいて前記アドレス発生部の発生アドレスを管理することで入力映像データを半導体メモリに記録し、この半導体メモリから任意の素材の映像データを任意のフィールドから任意のフィールドまで再生するコントローラとを具備し、
前記コントローラは、
前記半導体メモリに記録された映像データの素材番号、フィールド番号、各フィールド毎のスタートアドレス及びエンドアドレスを含むメモリ管理マップを記憶するマップ記憶部と、
前記操作入力装置から記録指令を受けたとき、前記アドレス発生部に対し、前記マップを参照して空領域先頭に相当するスタートアドレス値を指示し、前記操作入力装置から停止指令を受けたとき、アドレス発生停止を指示する記録処理機能と、
前記操作入力装置から再生指令を受けたとき、前記アドレス発生部に対し、前記マップを参照して前記操作入力装置からの映像指定情報によって指定される素材番号の再生先頭フィールド番号のスタートアドレス値と再生終了フィールド番号のエンドアドレス値を指示する再生処理機能と、
前記操作入力装置から入力される複数の映像指定情報を格納する映像指定情報記録部と、
前記操作入力装置から再生指令を受けたとき、前記映像指定情報記録部から順に映像指定情報を読出して、映像指定情報毎に指定される素材番号の再生先頭フィールド番号のスタートアドレス値と再生終了フィールド番号のエンドアドレス値を、順次前記アドレス発生部に指示することでチェーン再生を行うチェーン再生処理機能とを備え、
前記半導体メモリの入力前段には、映像データと共に入力される音声データを時間軸圧縮して入力映像データに多重して前記半導体メモリに送出する音声圧縮多重手段が設けられ、
前記半導体メモリの出力後段には、前記半導体メモリから読み出される映像データから時間軸圧縮された音声データを分離し、時間軸伸張して元に戻す音声分離伸張手段が設けられることを特徴する映像記録再生装置。
【請求項２】
前記音声圧縮多重手段は、前記音声データを前記映像データのブランキング期間に多重し、
前記音声分離伸張手段は、前記半導体メモリから読み出される映像データのブランキング期間から音声データを分離するようにしたことを特徴とする請求項１記載の映像記録再生装置。
【発明の詳細な説明】
【０００１】
【産業上の利用分野】
この発明は映像記録再生装置に係り、例えばテレビジョン放送用に映像信号を編集する等、編集作業に適したものに関する。
【０００２】
【従来の技術】
従来では、複数あるいは一つの素材の任意の映像をカット編集する場合、再生用／記録用の最低２台のＶＴＲを用意して、再生用ＶＴＲで順次頭出し再生を行い、その再生映像信号を記録用ＶＴＲで記録するようにしている。このような編集作業では、頭出しに時間がかかると共に、その頭出しの度に記録用ＶＴＲをポーズ状態に設定しなければならず、操作が繁雑であった。
【０００３】
一方、例えばテレビジョン放送用に映像信号を編集する編集装置では、音声信号を映像信号とは全く別個に取り扱っている。このため、音声を映像と一緒に扱う場合には、映像記録再生装置とは別個に音声記録再生装置が必要であり、コストが割高になるという問題があった。
【０００４】
【発明が解決しようとする課題】
以上述べたように、従来の映像記録再生装置では、例えばカット編集等で任意の素材の任意の映像を連続して再生する必要がある場合、映像毎に頭出しの時間が必要であり、再生側、記録側とも操作が繁雑であった。また、音声を映像と別個に取り扱っているため、音声を映像と一緒に扱う場合には、映像記録再生装置とは別個に音声記録再生装置が必要であった。
【０００５】
この発明は上記の課題を解決するためになされたもので、任意の素材の任意の映像を連続して再生する場合に、各映像の頭出しを瞬時に行うことができ、再生側、記録側とも操作が容易な映像記録再生装置を提供することを第１の目的とし、さらに音声を映像と一緒に扱うことができ、これによって映像及び音声の編集作業を容易に行うことができる映像記録再生装置を提供することを第２の目的とする。
【０００６】
【課題を解決するための手段】
この発明に係る映像記録再生装置は、映像データを記録する半導体メモリと、前記映像データの記録、再生、停止を含む処理指令、記録素材番号、再生素材番号、再生先頭フィールド番号、再生終了フィールド番号を含む映像指定情報を入力するための操作入力装置と、前記半導体メモリに対する書込み／読出しアドレスを与えられたスタートアドレス値からエンドアドレス値までまたは停止指令が与えられるまで順に発生することで、前記半導体メモリに対して入力映像データを記録／再生するアドレス発生部と、前記操作入力装置からの処理指令及び映像指定情報に基づいて前記アドレス発生部の発生アドレスを管理することで入力映像データを任意のフィールドから半導体メモリに記録し、この半導体メモリから任意の素材の映像データを任意のフィールドから任意のフィールドまで再生するコントローラとを具備し、前記コントローラは、前記半導体メモリに記録された映像データの素材番号、フィールド番号、各フィールド毎のスタートアドレス及びエンドアドレスを含むメモリ管理マップを記憶するマップ記憶部と、前記操作入力装置から記録指令を受けたとき、前記アドレス発生部に対し、前記マップを参照して空領域先頭に相当するスタートアドレス値を指示し、前記操作入力装置から停止指令を受けたとき、アドレス発生停止を指示する記録処理機能と、前記操作入力装置から再生指令を受けたとき、前記マップを参照して前記操作入力装置からの映像指定情報によって指定される素材番号の再生先頭フィールド番号のスタートアドレス値と再生終了フィールド番号のエンドアドレス値を指示する再生処理機能とを備えるようにしたことを第１の特徴とする。
【０００７】
前記コントローラは、さらに、前記操作入力装置から入力される複数の映像指定情報を格納する映像指定情報記録部と、前記操作入力装置から再生指令を受けたとき、前記映像指定情報記録部から順に映像指定情報を読出して、映像指定情報毎に指定される素材番号の再生先頭フィールド番号のスタートアドレス値と再生終了フィールド番号のエンドアドレス値を指示することでチェーン再生を行うチェーン再生処理機能とを備えるようにしたことを第２の特徴とする。
【０００８】
また、前記半導体メモリの入力前段に設けられ、映像データと共に入力される音声データを時間軸圧縮して入力映像データに多重して前記半導体メモリに送出する音声圧縮多重手段と、前記半導体メモリの出力後段に設けられ、前記半導体メモリから読み出される映像データから時間軸圧縮された音声データを分離し、時間軸伸張して元に戻す音声分離伸張手段とを備え、前記音声データを映像データとして取り扱うようにしたことを第３の特徴とする。
【０００９】
前記音声圧縮多重手段は、前記音声データを前記映像データのブランキング期間に多重し、前記音声分離伸張手段は、前記半導体メモリから読み出される映像データのブランキング期間から音声データを分離するようにしたことを第４の特徴とする。
【００１０】
【作用】
上記第１の特徴とする発明の映像記録再生装置では、操作入力装置より映像データの記録、再生、停止を含む処理指令、記録素材番号、再生素材番号、再生先頭フィールド番号、再生終了フィールド番号を含む映像指定情報が入力されると、アドレス発生部にて、与えられたスタートアドレス値からエンドアドレス値までまたは停止指令が与えられるまで半導体メモリに対する書込み／読出しアドレスを順に発生して、半導体メモリに対して入力映像データを記録／再生する。この際、コントローラにより操作入力装置からの処理指令及び映像指定情報に基づいてアドレス発生部の発生アドレスを管理することで、入力映像データを任意のフィールドから半導体メモリに記録し、この半導体メモリから任意の素材の映像データを任意のフィールドから任意のフィールドまで再生する。特に、コントローラにおいて、半導体メモリに記録された映像データの素材番号、フィールド番号、各フィールド毎のスタートアドレス及びエンドアドレスを含むメモリ管理マップをマップ記憶部に記憶するようにし、記録処理機能により、操作入力装置から記録指令を受けたときは、アドレス発生部に対してマップを参照して空領域先頭に相当するスタートアドレス値を指示し、操作入力装置から停止指令を受けたときは、アドレス発生停止を指示するようにし、再生処理機能により、操作入力装置から再生指令を受けたときは、マップを参照して操作入力装置からの映像指定情報によって指定される素材番号の再生先頭フィールド番号のスタートアドレス値と再生終了フィールド番号のエンドアドレス値を指示するようにしている。
【００１１】
第２の特徴とする発明において、コントローラでは、さらに、操作入力装置から入力される複数の映像指定情報を映像指定情報記録部に格納しておき、操作入力装置から再生指令を受けたとき、映像指定情報記録部から順に映像指定情報を読出して、映像指定情報毎に指定される素材番号の再生先頭フィールド番号のスタートアドレス値と再生終了フィールド番号のエンドアドレス値を指示することでチェーン再生を行えるようにしている。
【００１２】
第３の特徴とする発明の映像記録再生装置では、半導体メモリの入力前段に音声圧縮多重手段を出力後段に音声分離伸張手段を設けて、映像データと共に入力される音声データを時間軸圧縮して入力映像データに多重して半導体メモリに書き込み、半導体メモリから読み出される映像データから時間軸圧縮された音声データを分離し、時間軸伸張して元に戻すようにして、音声データを映像データとして取り扱うようにしている。
【００１３】
第４の特徴とする発明において、音声圧縮多重手段及び音声分離伸張手段では、映像データのブランキング期間を利用して、記録時には映像データのブランキング期間に音声データを多重し、再生時には映像データのブランキング期間から音声データを分離することで、音声データを映像データと共に記録／再生可能としている。
【００１４】
【実施例】
以下、図１乃至図４を参照してこの発明の一実施例を詳細に説明する。
図１はこの発明に係る映像記録再生装置の構成をブロック化して示すものである。図１において、１１は記録媒体となる映像記録用ＲＡＭ（半導体メモリ）である。このＲＡＭ１１の書き込み／読み出しモードの切替えのためのコントロール信号及び書き込み／読み出しアドレスはアドレス発生部１２によって発生される。このアドレス発生部１２はＣＰＵ（中央処理装置）１３、プログラムメモリ（ＲＯＭ）１４、作業用メモリ（ＲＡＭ）１５、操作入力装置１６、表示装置１７からなるコントローラによって管理される。
【００１５】
上記操作入力装置１６は、オペレータの操作から映像データの記録、再生、チェーン再生、停止を含むモード処理指令、記録素材番号、再生素材番号、再生先頭フィールド番号、再生終了フィールド番号を含む映像指定情報を判別入力するためのものである。
【００１６】
上記プログラムメモリ１４には記録モード、再生モード等のモード別のアドレス管理プログラムをテーブル化した状態で格納されている。すなわち、ＣＰＵ３は操作入力装置１６からモード指令を受けると、このプログラムメモリ１４から対応するテーブルのアドレス管理プログラムを読み出して、アドレス管理処理を実行する。
【００１７】
上記作業用メモリ１５はメモリ管理テーブル格納部１５１とチェーン再生テーブル格納部１５２を備える。
メモリ管理テーブル格納部１５１は、記録モード処理時に、映像記録用ＲＡＭ１１に記録される映像データの素材番号、フィールド番号、各フィールド毎のスタートアドレス及びエンドアドレスを、図２に示すようにテーブル化して格納しておくもので、各素材テーブルはＣＰＵ１３からの指令及び情報に基づいて作成更新されるようになっている。
【００１８】
また、チェーン再生テーブル格納部１５２は、チェーン再生モードにおいて、チェーン再生を行う素材番号を指定された開始フィールド及び終了フィールドと共に再生順に並べることで、チェーン再生情報をテーブル化して格納しておくものである。
【００１９】
上記表示装置１７は、ＣＰＵ１３の制御によりマン−マシンインターフェースとして機能し、オペレータへの操作入力方法を指示するメッセージや前記画像記録用ＲＡＭ１１の記録情報等を適宜表示するものである。
【００２０】
上記映像記録用ＲＡＭ１１の映像データ入力は映像信号入力インターフェース部１８を介して行われ、映像データ出力は映像信号出力インターフェース部１９を介して行われる。
【００２１】
入力インターフェース部１８は映像信号をフィールド単位で取り込み、所定のフォーマットでデータ化し、ブランキング期間のデータを破棄して有効データのみを映像記録用ＲＡＭ１１に送出する。出力インターフェース部１９は映像記録用ＲＡＭ１１から読み出された映像データにブランキング期間を付加し、元の映像信号に戻して後段の処理装置（例えばＶＴＲ）に送出する。
【００２２】
ここで、上記映像信号入力インターフェース部１８で得られているフィールドタイミング信号はアドレス発生部１２に送られ、アドレス発生部１２はこのタイミング信号の入力に応じて各フィールドのエンドアドレス及び次のフィールドのスタートアドレスを決定する。
【００２３】
上記構成において、以下そのモード別処理動作を説明する。
まず、操作入力装置１６から記録モード指令及び素材番号が入力されると、作業用メモリ１５のメモリ管理テーブル格納部１５１に素材テーブル格納領域を確保し、素材番号、フィールド番号、各フィールドのスタートアドレスを格納すると同時に、そのスタートアドレス及び記録開始指令をアドレス発生部１２に送る。
【００２４】
アドレス発生部１２は記録開始指令を受けて映像記録用ＲＡＭ１１を書き込みモードにセットし、与えられたスタートアドレスから順に書き込みアドレスを供給する。これにより、映像記録用ＲＡＭ１１に入力インターフェース部１８からの映像データが順次書き込まれる。
【００２５】
すなわち、操作入力装置１６を通じて通常記録モードが指定されると、ＣＰＵ１３はプログラムメモリ１４から記録モードの処理プログラムを受取り、その処理を実行する。このモードでは、ＣＰＵ１３は作業用メモリ１５に格納されたアドレス管理マップを参照して映像記録用ＲＡＭ１１の空領域を識別し、その先頭アドレス値を記録モード指令と共にアドレス発生回路１２に与える。
【００２６】
この指令を受けたアドレス発生回路１２は、書き込み制御信号により映像記録用ＲＡＭ１１を記録状態に設定した後、先頭アドレス値から順に書き込みアドレスを発生し、これをＲＡＭ１１に与えて入力映像データを記録させる。記録終了時には、ＣＰＵ１３は作業用メモリ１５のアドレス管理マップを更新する。
【００２７】
また、操作入力装置１６を通じて通常再生モードが指定され、目的とする素材番号及びフィールドが指定されると、ＣＰＵ１３はプログラムメモリ１４から通常再生モードの処理プログラムを受取り、その処理を実行する。このモードでは、ＣＰＵ１３は作業用メモリ１５に格納されたアドレス管理マップを参照して、目的の素材のフィールドの先頭アドレス値を読み出し、その値を通常再生モード指令と共にアドレス発生回路１２に与える。
【００２８】
このとき、アドレス発生回路１２は読み出し制御信号により映像記録用ＲＡＭ１１を読み出し状態に設定し、ＣＰＵ３から与えられた先頭アドレス値から順に読み出しアドレスを発生し、これをＲＡＭ１１に与える。これによって、ＲＡＭ１１から映像データを任意のフィールドから順に読み出すことができる。
【００２９】
一方、操作入力装置１６を通じてチェーン再生モードが指定され、目的とする素材番号及びフィールドが指定されると、ＣＰＵ１３はプログラムメモリ１４からチェーン再生モードの処理プログラムを受取り、その処理を実行する。このモードでは、ＣＰＵ１３は作業用メモリ１５に格納されたアドレス管理マップを参照して、目的の素材のフィールドの先頭アドレス値を読み出し、チェーン再生を行う素材番号を指定された開始フィールド及び終了フィールドと共に再生順に並べて、チェーン再生情報をテーブル化してチェーン再生テーブル格納部１５２に格納する。続いて、この格納部１５２から順次チェーン再生情報を読出し、各素材番号の開始フィールドのスタートアドレス値をチェーン再生モード指令と共にアドレス発生回路１２に与える。
【００３０】
このとき、アドレス発生回路１２は読み出し制御信号により映像記録用ＲＡＭ１１を読み出し状態に設定し、ＣＰＵ１３から与えられた先頭アドレス値から順に読み出しアドレスを発生し、これをＲＡＭ１１に与える。これによって、ＲＡＭ１１から映像データを指定フィールドから指定された順序で読み出すことができる。
【００３１】
例として、図３（ｂ）に示す素材Ｂを図３（ａ）に示す素材Ａの１００フィールド目と１０１フィールド目に挿入するカット編集作業について説明する。この場合、図３（ｂ）に示すように、素材を映像記録用ＲＡＭ１１に書き込み、素材テーブルを作成して、図３（ｃ）に示すような、素材の再生順序を示すアドレスチェーンテーブルを作成しておく。
【００３２】
再生時にのアドレスチェーンテーブルを指定すれば、図３（ｄ）に示すように、素材Ａの１００フィールド目と１０１フィールド目の間に素材Ｂを挿入した状態で再生することができる。この再生画像を素材登録時に使用したＶＴＲを使用して収録すれば、１台のＶＴＲによる編集作業が可能となる。
【００３３】
したがって、上記構成による映像記録再生装置は、例えばカット編集等で任意の素材の任意の映像を連続して再生する必要がある場合でも、映像毎に瞬時に頭出しが可能で、再生側、記録側とも操作を容易なものとすることができる。しかも、記録時に使用したＶＴＲを用いて編集映像を記録再生することもできる。特に、メモリから再生を行うため、ＶＴＲにおける巻き戻し等の作業が不要となるので、編集作業の効率を格段にアップさせることができる。
【００３４】
図４は第２の実施例として、映像信号と共に音声信号を同時に記録可能な映像記録再生装置の構成を示すものである。尚、図４において、図１と同一部分には同一符号を付して示し、ここでは異なる部分を中心に説明する。
【００３５】
まず、前述の映像信号入力インターフェース部１８とは別に音声信号入力インターフェース部２０が設けられる。この音声信号入力インターフェース部２０は入力される音声信号を例えばＡＥＳフォーマットのデータに変換し、その有効データのみを取り出して、映像信号の量子化ビット数（例えば８ビット）に変換するもので、その出力データは時間軸圧縮部２１に送られる。
【００３６】
この時間軸圧縮部２１は、入力される音声データを映像信号のフォーマットに合わせて時間軸圧縮を行うもので、その出力は多重回路部２２に送られ、映像信号入力インターフェース部１８から出力される映像データに多重（例えば映像データのブランキング期間）された後、映像記録用ＲＡＭ１１に送られる。すなわち、音声データは映像データの一部として取り扱われ、アドレス発生部１２のアドレス制御に従って映像記録用ＲＡＭ１１に記録される。
【００３７】
一方、映像記録用ＲＡＭ１１の読出しデータは分離回路部２３に送られ、映像データと音声データに分離される。ここで分離された映像データは前述の映像信号出力インターフェース部１８に送られる。また、音声データは時間軸伸張部２４で記録時とは逆の時間軸伸張を施されて連続データに変換された後、音声信号出力インターフェース部２５で元の音声信号に戻され、映像信号出力インターフェース部１８からの映像信号と共に後段の処理装置（例えばＶＴＲ）に送出される。
【００３８】
すなわち、上記構成による映像記録再生装置では、映像信号と共に音声信号を取り込み、この音声信号を映像データのフォーマットに合わせて映像データに多重する。これにより、音声データを映像データの一部として取り扱い、映像データの記録時に音声データも記録できるようにしている。また、映像データの再生と同時に音声データも再生し、そのデータ分離後に連続データに戻し、アナログ化して音声信号を再生出力するようにしている。
【００３９】
したがって、上記の映像記録再生装置はさらに音声を映像と一緒に扱うことができるので、映像及び音声の編集作業の効率を格段にアップさせることができ、その作業を容易に行うことができる。
【００４０】
【発明の効果】
以上のようにこの発明によれば、任意の素材の任意の映像を連続して再生する場合に、各映像の頭出しを瞬時に行うことができ、再生側、記録側とも操作が容易な映像記録再生装置を提供することができ、さらに音声を映像と一緒に扱うことができ、これによって映像及び音声の編集作業を容易に行うことができる映像記録再生装置を提供することができる。
【図面の簡単な説明】
【図１】この発明に係る半導体メモリによる映像記録再生装置の第１の実施例の構成を示すブロック回路図である。
【図２】同実施例のメモリ管理テーブル格納部に格納される素材テーブルのフォーマットを示す図である。
【図３】同実施例の装置のカット編集作業の様子を示す図である。
【図４】この発明に係る半導体メモリによる映像記録再生装置の第２の実施例の構成を示すブロック回路図である。
【符号の説明】
１１…映像記録用ＲＡＭ
１２…アドレス発生部
１３…ＣＰＵ（中央処理装置）
１４…プログラムメモリ
１５…作業用メモリ
１５１…メモリ管理テーブル格納部
１５２…チェーン再生テーブル格納部
１６…操作入力装置
１７…表示装置
１８…映像信号入力インターフェース部
１９…映像信号出力インターフェース部
２０…音声信号入力インターフェース部
２１…時間軸圧縮部
２２…多重回路部
２３…分離回路部
２４…時間軸伸張部
２５…映像信号出力インターフェース部
【図１】
0003561029.tif 000002
【図２】
0003561029.tif 000003
【図３】
0003561029.tif 000004
【図４】
0003561029.tif 000005